(57)【要約】【課題】電線付きコネクタにおいて、充填材を充填する際の作業性を向上させることができるとともに、ハウジング内での空気だまりの生成を極力回避する。【解決手段】第１の筒状部１７と第２の筒状部２１とを備えているハウジング５と、第１の筒状部１７に設置されている止水栓７と、第２の筒状部２１に設置されている端子ホルダ９と、電線本体部２７と端子２９とを備え、電線本体部が止水栓７に挿通されハウジング５の外部に延出している電線１１と、ハウジング５内に充填材１３を充填するためにハウジング５に形成されている充填用開口部３１と、ハウジング５内に充填されている充填材１３とを有する。【選択図】図１
2020024842.tif 000002
【特許請求の範囲】
【請求項１】
第１の中空部を具備して筒状に形成されている第１の筒状部と、第２の中空部を具備して筒状に形成されており、前記第２の中空部の中心軸が前記第１の中空部の中心軸と交差しているか、もしくは、前記第２の中空部の中心軸が前記第１の中空部の中心軸に対してねじれの位置関係になっており、前記第２の中空部が前記第１の中空部につながるようにして、前記第１の筒状部と一体化している第２の筒状部とを備えているハウジングと、
前記第１の中空部に設置されている止水栓と、
前記第２の中空部に設置されている端子ホルダと、
電線本体部と、この電線本体部の端部に設置されている端子とを備え、前記端子が前記端子ホルダに設置されており、前記電線本体部が前記ハウジング内に形成されているハウジング内空間を通り前記止水栓に挿通され前記ハウジングの外部に延出している電線と、
前記ハウジング内空間に充填材を充填するために前記ハウジングに形成されている充填用開口部と、
前記ハウジング内空間に充填されている充填材と、
を有することを特徴とする電線付きコネクタ。
【請求項２】
請求項１に記載の電線付きコネクタにおいて、
前記第２の中空部の中心軸が前記第１の中空部の中心軸に対してねじれの位置関係になっており、
前記第２の中空部の一方の端部には、前記第２の中空部から前記第１の中空部に向かう方向で前記ハウジング内空間に前記電線本体部を通すときに、前記電線本体部の前記ハウジングへの引っ掛かりを防止するための電線ガイド部が形成されていることを特徴とする電線付きコネクタ。
【請求項３】
請求項１または請求項２に記載の電線付きコネクタにおいて、
前記充填用開口部は、前記第１の筒状部の、前記第２の筒状部側の端部に設けられていることを特徴とする電線付きコネクタ。
【発明の詳細な説明】
【技術分野】
【０００１】
本発明は、電線付きコネクタに係り、特に、ハウジングの内部に充填材が設けられているものに関する。
【背景技術】
【０００２】
従来、図１３で示すように、コネクタハウジング（ハウジング）３０１と電線（電線本体部）３０３と端子金具（端子）３０５と充填材３０７とを備えているコネクタ（電線付きコネクタ）３０９が知られている（たとえば特許文献１参照）。
【０００３】
ハウジング３０１には、お互いが連通している電線取付部３１１と端子取付部３１３とが設けられている。電線３０３は、電線取付部３１１に取り付けられている。端子３０５は端子取付部３１３に取り付けられている。充填材３０７は、ハウジング３０１内における電線３０３や端子３０５の取付け領域内に注入されている。
【先行技術文献】
【特許文献】
【０００４】
【特許文献１】特開平１０−１１６６４６号公報
【発明の概要】
【発明が解決しようとする課題】
【０００５】
従来の電線付きコネクタ３０９では、ハウジング３０１に電線３０３と端子３０５とを設置した後に、ハウジング３０１内における電線３０３や端子３０５の取付け領域内に充填材３０７を注入している。
【０００６】
しかし、従来の電線付きコネクタ３０９では、ハウジング３０１の内壁と電線３０３や端子３０５との間の狭い空間３１５内に、この空間３１５の開口部３１７から充填材３０７を入れるので、充填材３０７を充填する際の作業性が悪く、しかも、空間３１５内に空気だまりが生成されてしまうおそれがあるという問題がある。
【０００７】
本発明は、上記問題点に鑑みてなされたものであり、電線付きコネクタにおいて、充填材を充填する際の作業性を向上させることができるとともに、ハウジング内での空気だまりの生成を極力回避することができるもの提供することを目的とする。
【課題を解決するための手段】
【０００８】
本発明は、第１の中空部を具備して筒状に形成されている第１の筒状部と、第２の中空部を具備して筒状に形成されており、前記第２の中空部の中心軸が前記第１の中空部の中心軸と交差しているか、もしくは、前記第２の中空部の中心軸が前記第１の中空部の中心軸に対してねじれの位置関係になっており、前記第２の中空部が前記第１の中空部につながるようにして、前記第１の筒状部と一体化している第２の筒状部とを備えているハウジングと、前記第１の中空部に設置されている止水栓と、前記第２の中空部に設置されている端子ホルダと、電線本体部と、この電線本体部の端部に設置されている端子とを備え、前記端子が前記端子ホルダに設置されており、前記電線本体部が前記ハウジング内に形成されているハウジング内空間を通り前記止水栓に挿通され前記ハウジングの外部に延出している電線と、前記ハウジング内空間に充填材を充填するために前記ハウジングに形成されている充填用開口部と、前記ハウジング内空間に充填されている充填材とを有する電線付きコネクタである。
【発明の効果】
【０００９】
本発明によれば、電線付きコネクタにおいて、充填材を充填する際の作業性を向上させることができるとともに、ハウジング内での空気だまりの発生を極力回避することができるという効果を奏する。
【図面の簡単な説明】
【００１０】
【図１】本発明の実施形態に係る電線付きコネクタの分解斜視図である。
【図２】本発明の実施形態に係る電線付きコネクタのハウジングの正面図であって、筐体に設置されている状態を示す図である。
【図３】図２におけるＩＩＩ−ＩＩＩ断面（ハウジングのみの断面）を示す図である。
【図４】図２におけるＩＩＩ−ＩＩＩ断面を示す図であって、ハウジングに端子ホルダや電線を設置した状態を示す図である。
【図５】本発明の実施形態に係る電線付きコネクタの端子ホルダを示す斜視図である。
【図６】本発明の実施形態に係る電線付きコネクタの止水栓を示す斜視図である。
【図７】本発明の実施形態に係る電線付きコネクタの端子を示す斜視図である。
【図８】参考例に係る電線付きコネクタの分解斜視図である。
【図９】図８で示すハウジングの断面図である。
【図１０】図８で示すハウジングの斜視図であって一部を説明の便宜のために切り欠いた状態を示す図である。
【図１１】図８で示すハウジングの斜視図であって図１０とは異なる一部の部位を説明の便宜のために切り欠いた状態を示す図である。
【図１２】図８で示すハウジングの斜視図であって図１０や図１１とは異なる一部の部位を説明の便宜のために切り欠いた状態を示す図である。
【図１３】従来の電線付きコネクタを示す図である。
【発明を実施するための形態】
【００１１】
本発明の実施形態に係る電線付きコネクタ１は、図２で示すように、筐体３に設置されて使用されるものであり、図１〜図４で示すように、ハウジング（コネクタハウジング）５と止水栓７と端子ホルダ９と電線１１と充填材１３とを備えて構成されている。
【００１２】
ここで、説明の便宜のために、コネクタにおける所定の一方向をＸ方向とし、Ｘ方向に対して直交する所定の一方向をＹ方向とし、Ｘ方向とＹ方向とに対して直交する方向をＺ方向とする。また、Ｘ方向における一方の側を一端側とし他方の側を他端側とする。Ｙ方向における一方の側を一端側とし他方の側を他端側とする。Ｚ方向における一方の側を一端側とし他方の側を他端側とする。
【００１３】
ハウジング５は、たとえば、樹脂で構成されており、第１の中空部１５を備えて（具備して）筒状に形成されている第１の筒状部１７と、第２の中空部１９を備えて（具備して）筒状に形成されて第２の筒状部２１とを具備して、「Ｌ」字状に形成されている。第１の筒状部１７と第２の筒状部２１とはたとえば同時に成形されていることでお互いが一体化している。
【００１４】
第２の中空部１９の中心軸（第２の中心軸）Ｃ２と第１の中空部１５の中心軸（第１の中心軸）Ｃ１とは、お互いがねじれの位置関係になっている。
【００１５】
たとえば、第１の中心軸Ｃ１は、Ｚ方向に延びており、第２の中心軸Ｃ２は、Ｙ方向に延びている。第１の中心軸Ｃ１と第２の中心軸Ｃ２とは、これらがねじれの位置関係にあることで、Ｘ方向で所定の距離だけ離れている（Ｘ方向でオフセットされている）。
【００１６】
さらに説明すると、Ｘ軸方向で見て、第１の中空部１５の中心軸Ｃ１と第２の中空部１９の中心軸Ｃ２とがお互いに交差している。第１の中心軸Ｃ１に対して第２の中心軸Ｃ２をＸ方向で平行移動して、第１の中心軸Ｃ１と第２の中心軸Ｃ２とが１点で交わるように（交差するように）した場合、第１の中心軸Ｃ１と第２の中心軸Ｃ２とがお互いに直交するようになっている。
【００１７】
なお、第１の中心軸Ｃ１と第２の中心軸Ｃ２とが１点で交わったとした場合に、第１の中心軸Ｃ１と第２の中心軸Ｃ２との位置関係が、直角以外の角度であって直角に近い角度（７０°〜１１０°程度の角度）で交差する関係になっていてもよい。
【００１８】
なお、すでに理解されるように、第２の中空部１９の一方の端部（第２の中心軸Ｃ２の延伸方向における一端側の部位）と第１の中空部１５の一方の端部（第１の中心軸Ｃ１の延伸方向における一端側の部位）とで、第２の中空部１９が第１の中空部１５につながっている（連通している）。
【００１９】
また、第１の中空部１５と第２の中空部１９とで、ハウジング５の内側に「Ｌ」字状の中空部（「Ｌ」字状中空部）２３が形成されている。なお、図３等に参照符号２６で示すものは、筐体３との設置面を有するフランジ部である。
【００２０】
止水栓７は、第１の中空部１５（第１の筒状部１７内）に設置されており（収容されており）、端子ホルダ９は、第２の中空部１９（第２の筒状部２１内）に設置されている（収容されている）。
【００２１】
止水栓７が第１の筒状部１７内に設置されており、端子ホルダ９が第２の筒状部２１内に設置されていることで、ハウジング５内に、ハウジング内空間２５が形成されている。ハウジング内空間２５は、止水栓７と端子ホルダ９との間に形成されており、「Ｌ」字状中空部２３の一部で形成されている。
【００２２】
電線１１は、電線本体部２７と端子２９とを備えて構成されている。電線本体部２７は、たとえば、細長い複数本の芯線とこれらの芯線を覆っている被覆とを備えて構成されており、可撓性を備えている。端子２９は、金属等の導電性材料で構成されており、電線本体部２７の長手方向の一方の端部に設置されている。
【００２３】
端子２９は、端子ホルダ９に一体的に設置されている。電線本体部２７は、端子（ハウジング５に設置されている端子ホルダ９に設置されている端子）２９から延伸しハウジング５内に形成されているハウジング内空間２５を通り止水栓７に挿通されている。さらに、電線本体部２７は、ハウジング内空間２５と止水栓７とを通り抜けて、第１の筒状部１７からハウジング５の外部に延出している。
【００２４】
ハウジング５には、ハウジング内空間２５に充填材１３を充填するための充填用開口部３１が形成されている。充填用開口部３１は、ハウジング５の肉部を貫通して、ハウジング内空間２５とハウジング５の外部とをつないでいる。
【００２５】
また、充填用開口部３１は、第１の筒状部１７の一方の端部（第２の筒状部２１側の端）に設けられている。
【００２６】
充填材１３は、樹脂等で構成されており、ハウジング内空間２５に充填（ポッティング）されている。ハウジング５（電線付きコネクタ１）は、上述したように、筐体３に設置されて使用されるようになっている。筐体３の内部には、潤滑油等の液体が入っている。
【００２７】
さらに説明すると、図２で示すように、ハウジング５は、第１の筒状部１７の一部（第２の筒状部２１とは反対側の端部；他端側の部位）が、筐体３に設けられている貫通孔３３に挿入されている。貫通孔３３は、電線付きコネクタ１が設置されていない状態では、筐体３の肉部を貫通し筐体３の内部と筐体３の外部とをつないでいる。
【００２８】
また、ハウジング５は、第２の筒状部２１と第１の筒状部１７の他の部位（第２の筒状部２１側の部位；一端側の部位）とが、筐体３の外部に突出するようにして、筐体３に設置されている。なお、図２に参照符号３５で示すものは、Ｏリング等のシール材である。Ｏリングは、第１の筒状部１７の外周に形成されている環状の溝内に配置されている。
【００２９】
充填材１３は、筐体３内部の液体が、ハウジング内空間２５を通って、筐体３の外部に漏れ出ることを防止するために設けられており、たとえば、ハウジング内空間２５の総てに充填されている。なお、筐体３の外部に液体が漏れ出ることを防止できるのであれば、充填材１３が、ハウジング内空間２５の一部に充填されている構成であってもよい。
【００３０】
たとえば、充填材１３が、止水栓７に接触しハウジング内空間２５における止水栓７側の部位のみに設けられていてもよい。この場合、充填材１３は、少なくとも電線本体部２７と第１の筒状部１７の中空部１５の内壁とに密着している。
【００３１】
また、ハウジング５には、電線ガイド部（第１の電線ガイド部；第１の電線ガイド面）３７が設けられている。第１の電線ガイド部３７は、第２の中空部１９の一方の端部（第１の中空部１５側の端；Ｙ方向における一端側の部位）に設けられている。
【００３２】
さらに、電線ガイド部３７は、第２の中空部１９から第１の中空部１５に向かう方向で、ハウジング内空間２５に電線本体部２７を通すときに（配索するときに）、電線本体部２７をガイドして、電線本体部２７のたとえば先端部がハウジング５に引っ掛かってしまうことを防止するために設けられている。
【００３３】
電線本体部２７の先端部とは、電線本体部２７の長手方向における端子２９とは反対側の端部である。電線本体部２７の先端部のハウジング５への引っ掛かりは、たとえば、ハウジング内空間２５の内壁面であって第２の中空部１９の一端側の内壁面（第２の中空部１９と第１の中空部１５とがお互いに交差していることで、ハウジング内空間２５が曲がっているところ）で発生する。
【００３４】
ここで、電線付きコネクタ１についてさらに詳しく説明する。
【００３５】
ハウジング５の第１の中空部１５は、たとえば、円柱状に形成されている。ハウジング５の第１の筒状部１７は円筒状に形成されている。第１の中空部１５の中心軸Ｃ１と第１の筒状部１７の中心軸とはお互いが一致している。第２の中空部１９は、たとえば、長円柱状に形成されている。長円柱では、この底面の形状が長円になっている。
【００３６】
Ｚ方向で見ると、第１の中空部１５は円形状に形成されており、第２の中空部１９はＹ方向に長い長方形状に形成されている。Ｘ方向で見ると、第１の中空部１５はＺ方向に長い長方形状に形成されており、第２の中空部１９はＹ方向に長い長方形状に形成されている。
【００３７】
また、Ｚ方向やＸ方向で見ると、第１の中空部１５の一部と第２の中空部１９の一部とがお互い重なっている。このお互いが重なっている部位（重なり部位）３９を、Ｚ方向で見ると、たとえば弓形状に見え（図３参照）、Ｘ方向で見ると、たとえば、長方形状に見える（図２参照）。
【００３８】
Ｚ方向で見ると、第１の電線ガイド面３７は、図３、図４で示すように、円弧状（たとえば１／４円弧状）になっており、長方形状に形成されている第２の中空部１９の１つの角部のところに形成されている。上記１つの角部は、Ｙ方向では第１の筒状部１７側の端部に位置し、Ｘ方向では第１の筒状部１７とは反対側の端部に位置している。
【００３９】
また、Ｚ方向で見ると、充填用開口部３１は、弓形になっており、円形状の第１の中空部１５の一部（半分以上の部位であって、第２の中空部１９とは反対側に位置している部位）と重なっている。さらには、Ｚ方向で見て、たとえば、充填用開口部３１の総てと、重なり部位３９を除く第１の中空部１５の部位の総てとがお互いに重なっている。
【００４０】
なお、充填材１３のハウジング内空間２５への設置が終了した後に、充填用開口部３１がゴム栓等の蓋材（図示せず）を封止されていてもよい。
【００４１】
また、ハウジング５には、第２の電線ガイド部（第２の電線ガイド面）４１と第３の電線ガイド部（第３の電線ガイド面）４３とが形成されている。
【００４２】
Ｘ方向で見ると、図２で示すように、第２の電線ガイド面４１は、Ｙ方向やＺ方向に対して傾斜している直線（線分）に見える。さらに説明すると、第２の電線ガイド面４１は、Ｘ方向で見て、長方形状に形成されている第２の中空部１９の１つの角部のところに形成されている。上記１つの角部は、Ｙ方向では一端部（第１の筒状部１７側の端部）に位置し、Ｚ方向では一端部（第１の筒状部１７と反対側の端部）に位置している。
【００４３】
Ｚ方向で見ると、図３や図４で示すように、第３のガイド部４３は、Ｙ方向やＺ方向に対して傾斜している直線（線分）に見える。さらに説明すると、第３のガイド部４３は、Ｚ方向で見て、長方形状に形成されている第２の中空部１９の１つの角部のところに形成されている。上記１つの角部は、Ｙ方向では一端部に位置し、Ｘ方向では他端部（第１の電線ガイド面３７とは反対側）に位置している。第３のガイド部４３が設けられていることで、Ｚ方向で見て、第２の中空部１９は、Ｙ方向の一端部で幅（Ｘ方向の寸法）が次第に小さくなっている。
【００４４】
電線本体部２７をハウジング内空間２５に通すときに、第２の中空部１９内を通ってきた電線本体部２７の先端部が、第１の電線ガイド面３７、第２の電線ガイド面４１に当接すると、電線本体部２７が適宜曲がり、ハウジング５の内壁に引っ掛かることなく、第１の中空部１５内に入り込むようになっている。
【００４５】
また、電線本体部２７をハウジング内空間２５に通すときに、第２の中空部１９内を通ってきた電線本体部２７の先端部が、第３の電線ガイド面４３に当接すると、電線本体部２７が適宜曲がり、第１の電線ガイド面３７や第２の電線ガイド面４１に当接し、さらに適宜曲がり、ハウジング５の内壁に引っ掛かることなく、第１の中空部１５内に入り込むようになっている。
【００４６】
端子ホルダ９は、たとえば、合成樹脂で構成されており、図５で示すように、Ｙ方向に長い直方体状に形成されており、電線１１の端子２９が一体的に設置される端子設置部４５と、被係止部４７とを備えて構成されている。
【００４７】
端子ホルダ９の外径（Ｘ方向の寸法、Ｚ方向の寸法）は、第２の中空部１９の内径（Ｘ方向の寸法、Ｚ方向の寸法）よりも小さくなっており、端子ホルダ９が、第２の中空部１９に設置されたときには、端子ホルダ９と第２の中空部１９との間には、僅かな間隙が形成される。
【００４８】
ただし、図示してはいないが、端子ホルダ９には小さな突起が設けられており、端子ホルダ９が第２の中空部１９に設置されたときに、小さな突起が第２の中空部１９の内壁に押されてつぶれることで、端子ホルダ９のがたつき（特に、Ｘ方向、Ｚ方向でのがたつき）がほとんど発生しないようになっている。
【００４９】
被係止部４７は端子ホルダ９のＹ方向の一端部に設けられている。そして、端子ホルダ９を第２の中空部１９内に挿入し終えたときに、被係止部４７がハウジング５に設けられている係止部４９（図４参照）に係止され、端子ホルダ９がハウジング５に一体的に設置されるようになっている。なお、第３のガイド部４３と被係止部４７とは兼用されている。
【００５０】
止水栓７は、たとえば、ゴムや柔らかい合成樹脂で構成されており、図６で示すように、高さ寸法（Ｚ方向の寸法）が小さい円柱状に形成されている。止水栓７の外周には、リング状のリップ部５１が設けられている。止水栓７が第１の中空部１５に設置されたときには、リップ部５１が潰れて第１の中空部１５の内壁と止水栓７との間のシールがされるようになっている。
【００５１】
また、止水栓７には、電線本体部２７を通すための貫通孔（キャビティ）５３が設けられている。止水栓７の貫通孔５３の内周には、リング状のリップ部５５が設けられている。電線本体部２７が貫通孔５３の挿通されたときには、リップ部５５が潰れて貫通孔５３の内壁と電線本体部２７との間のシールがされるようになっている。
【００５２】
端子２９は、図７で示すように、端子本体部５７と電線本体部設置部（ワイヤバレル部）５９と治具突き当て部６１とを備えて構成されている。端子本体部５７には、圧入爪６３が設けられている。端子本体部５７は、端子ホルダ９の端子設置部４５に挿入されるようになっている。電線本体部設置部５９には、電線本体部２７がたとえばカシメによって設置されるようになっている。
【００５３】
端子本体部５７が端子ホルダ９の端子設置部４５に挿入されて端子本体部５７が端子ホルダ９に設置された状態では、圧入爪６３が端子ホルダ９に食い込み、端子２９が端子ホルダ９と一体化し、端子本体部５７の先端部（Ｙ方向の他端部）が端子ホルダ９の他端（Ｙ方向の他端）から突出するようになっている。
【００５４】
電線１１（端子２９）が設置された端子ホルダ９が第２の中空部１９に設置された状態では、端子本体部５７の先端部も第２の中空部１９内に位置しており、電線本体部２７が、Ｙ方向の一端側に端子ホルダ９から延出している。
【００５５】
上述したように、ハウジング５に端子ホルダ９を設置しただけでは、ハウジング５と端子ホルダ９との間に、間隙が形成されている。そこで、この間隙を塞いで端子ホルダ９とハウジング５とをより強固に一体化させシールするために、充填材１３が上記間隙にも充填されていることが望ましい。
【００５６】
また、端子本体部５７が端子ホルダ９の端子設置部４５に挿入されて端子ホルダ９に設置された状態で、端子本体部５７と貫通孔で形成された端子設置部４５の内壁との間に僅かな間隙が存在している場合、この僅かな間隙にも充填材１３が充填されていることが望ましい。
【００５７】
次に、電線付きコネクタ１の製造方法について説明する。
【００５８】
まず、電線１１の端子２９を端子ホルダ９に設置する（端子設置工程）。
【００５９】
続いて、端子２９が端子ホルダ９に一体的に設置されている電線１１を、電線本体部２７がハウジング５内を通りハウジング５の外部にまで延伸するように設置する（電線設置工程）。
【００６０】
続いて、端子ホルダ９をハウジング５に設置する（端子ホルダ設置工程）。
【００６１】
続いて、ハウジング５の外部にまで延伸している電線本体部２７が止水栓７に挿通されるようにして電線本体部２７に止水栓７を設置するとともに、電線本体部２７に対して止水栓７をずらし、止水栓７をハウジング５に設置する（止水栓設置工程）。このとき、ハウジング内空間２５での電線本体部２７の弛みを極力少なくすることが望ましい。
【００６２】
続いて、Ｚ方向が上下方向もしくは上下方向に対して０°〜３０°程度斜めなっており、第２の筒状部２１が上側に位置し第１の筒状部１７が下側に位置している状態で、第１の筒状部１７の上端に位置している充填用開口部３１からハウジング５内（ハウジング内空間２５）に充填材（未硬化の充填材）１３を充填する（充填工程）。
【００６３】
なお、上記充填工程での充填後、たとえば、第２の筒状部２１が下側に位置し第１の筒状部１７が上側に位置するように、ハウジング５の姿勢を変えて、ハウジング内空間２５内（未だ充填材が入ったない箇所）に未硬化１３を充填してもよい。
【００６４】
続いて、充填材１３を硬化させることで、電線付きコネクタ１が製造される。
【００６５】
電線付きコネクタ１によれば、ハウジング内空間２５に充填材１３を充填するための充填用開口部３１が設けられているので、端子ホルダ９とハウジング５との間の小さな隙間を通して充填材１３をハウジング内空間２５に充填する必要が無くなる。そして、充填用開口部３１を用いてハウジング内空間２５に直接充填材１３を充填することで、充填材１３の充填作業の作業性を向上させることができるとともに、ハウジング５内での空気だまりの生成を極力回避することができる。
【００６６】
また、空気だまりの生成を無くすことで、充填材１３のシール性が向上する。そして、電線付きコネクタ１が筐体３に設置されたときに、電線付きコネクタ１のハウジング５内を通って筐体３内の液体が筐体３の外部に漏れだすことを防止することができる。
【００６７】
また、電線付きコネクタ１によれば、電線ガイド部３７が形成されているので、第２の中空部１９の中心軸Ｃ２が第１の中心軸Ｃ１に対してオフセットされているハウジング５内に電線本体部２７を通すとき、電線本体部２７が折れ曲がることなく誘い込まれるようにしてハウジング５内を進んで行き、電線本体部２７をハウジング５内に通すときの作業性が向上する。
【００６８】
また、電線付きコネクタ１によれば、充填用開口部３１が第１の筒状部１７の一方の端部に設けられているので、ハウジング５内への充填材１３の充填作業の作業性を一層向上させることができるとともに、ハウジング５内での空気だまりの発生を一層回避することができる。
【００６９】
さらに説明すると、Ｚ方向で見て、充填用開口部３１の総てと、重なり部位３９を除く第１の中空部１５の部位の総てとがお互いに重なっているので、第２の中心軸Ｃ２が第１の中心軸Ｃ１に対してオフセットされているハウジング内空間２５に充填材１３を充填するときに、充填材１３が、オフセットされている部位を経由しても流れ方向を大きく変えることがなく、第１の中空部１５内と第２の中空部１９内とに充填されるので、充填材１３の充填作業の作業性の向上と空気だまりの発生を回避とをすることができる。
【００７０】
また、電線付きコネクタ１によれば、第２の筒状部２１が上側に位置し第１の筒状部１７が下側に位置している状態で、上側に設けられている充填用開口部３１からハウジング５内に充填材１３を充填するので、充填材１３を重力によって止水栓７、ハウジング内空間２５の内壁、電線本体部２７に確実に密着させることができ、充填材１３のシール性を一層確実に得ることができる。
【００７１】
なお、上記説明では、第２の中空部１９の中心軸Ｃ２が第１の中空部１５の中心軸Ｃ１に対してねじれの位置関係になっているが、第２の中空部１９の中心軸Ｃ２が第１の中空部１５の中心軸Ｃ１と交差（たとえば、直交しているかもしくは直角に近い角度である７０°〜１１０°程度の角度で交差）している構成であってもてもよい。
【００７２】
次に、参考例に係る電線付きコネクタ１ａについて、図８〜図１２を参照しつつ説明する。
【００７３】
参考例に係る電線付きコネクタ１ａは、充填用開口部３１と第１の電線ガイド部３７と第３の電線ガイド部４３とが設けられていない点が、本発明の実施形態に係る電線付きコネクタ１と異なり、その他の点は、電線付きコネクタ１と同様に構成されている。
【００７４】
したがって、図８〜図１２に付されている参照符号であって図１〜図７に付されている参照符号と同じ参照符号は、図１〜図７で示すものと同様のものになっている。
【００７５】
なお、参考例に係る電線付きコネクタ１ａにおいて、第１の電線ガイド部３７や第３の電線ガイド部４３を設けてもよい。
【符号の説明】
【００７６】
１  電線付きコネクタ
５  ハウジング
７  止水栓
９  端子ホルダ
１１  電線
１３  充填材
１５  第１の中空部
１７  第１の筒状部
１９  第２の中空部
２１  第２の筒状部
２５  ハウジング内空間
２７  電線本体部
２９  端子
３１  充填用開口部
３７  電線ガイド部
Ｃ１  第１の中空部の中心軸（第１の中心軸）
Ｃ２  第２の中空部の中心軸（第２の中心軸）
【図１】
2020024842.tif 000003
【図２】
2020024842.tif 000004
【図３】
2020024842.tif 000005
【図４】
2020024842.tif 000006
【図５】
2020024842.tif 000007
【図６】
2020024842.tif 000008
【図７】
2020024842.tif 000009
【図８】
2020024842.tif 000010
【図９】
2020024842.tif 000011
【図１０】
2020024842.tif 000012
【図１１】
2020024842.tif 000013
【図１２】
2020024842.tif 000014
【図１３】
2020024842.tif 000015